(57)【要約】【課題】電話端末の動作状態を表すテキスト文字データを見やすい表示画面で視認できるようにしたネットワーク電話システムの電話端末を提供する。【解決手段】ＩＰ電話端末２−１において、制御ユニット３からテキスト表示データが送られてきた場合に、このテキスト表示データの表示に先立ち、このテキスト表示データに関する表示制御情報を制御ユニット３から取得し、この表示制御情報に基づいてテキスト表示データの内容が正しければ、例えば通話中を表す成分データと通話相手を表す成分データとに分けて、これら成分データをＬＣＤ２０上の互いに異なる表示位置に表示するようにしている。【選択図】      図６
2006019967.tif 000002
【特許請求の範囲】
【請求項１】
音声パケット伝送用の通信ネットワークに接続され、表示器を有する複数の電話端末と、前記通信ネットワークに接続され、前記電話端末の動作状態を表すテキスト表示情報を前記電話端末の表示器に表示させる端末制御装置とを備えたネットワーク電話システムで使用される電話端末であって、
前記端末制御装置から到来する前記テキスト表示情報を一時保持する入力バッファと、
前記テキスト表示情報を互いに表示位置が異なる複数の成分情報に区分するために必要な表示制御情報を取得する取得手段と、
前記入力バッファから前記テキスト表示情報を読み出し、前記表示制御情報に基づいて前記テキスト表示情報を複数の成分情報に分割して、これら成分情報を表示位置別に前記表示器に表示させる制御手段とを具備したことを特徴とするネットワーク電話システムの電話端末。
【請求項２】
前記取得手段は、前記端末制御装置との通信により前記表示制御情報を取得することを特徴とする請求項１記載のネットワーク電話システムの電話端末。
【請求項３】
互いに動作状態が異なる複数の画像情報を格納する記憶手段をさらに備え、
前記制御手段は、分割した成分情報の内容に基づいて、前記記憶手段から任意の画像情報を読み出し、前記成分情報と合わせて前記表示器に表示することを特徴とする請求項１記載のネットワーク電話システムの電話端末。
【請求項４】
前記表示制御情報に前記画像情報の識別情報が付加されているとき、
前記制御手段は、前記表示制御情報の取得時に得られる識別情報に基づいて前記記憶手段から該当する画像情報を読み出すことを特徴とする請求項３記載のネットワーク電話システムの電話端末。
【請求項５】
前記記憶手段は、前記テキスト表示情報の詳細情報を格納し、
前記制御手段は、前記テキスト表示情報に対応する詳細情報を前記記憶手段から読み出して前記表示器に表示することを特徴とする請求項３記載のネットワーク電話システムの電話端末。
【請求項６】
前記制御手段は、前記画像情報と前記詳細情報とを組み合わせた情報、前記詳細情報のいずれか１つを表示器に表示することを特徴とする請求項５記載のネットワーク電話システムの電話端末。
【請求項７】
音声パケット伝送用の通信ネットワークに接続され、表示器を有する複数の電話端末と、前記通信ネットワークに接続され、前記電話端末の動作状態を表すテキスト表示情報を前記電話端末の表示器に表示させる端末制御装置とを備えたネットワーク電話システムの電話端末で使用される表示制御方法であって、
前記端末制御装置から到来する前記テキスト表示情報を入力バッファに一時保持し、
前記テキスト表示情報を互いに表示位置が異なる複数の成分情報に区分するために必要な表示制御情報を取得し、
前記入力バッファから前記テキスト表示情報を読み出し、前記表示制御情報に基づいて前記テキスト表示情報を複数の成分情報に分割して、これら成分情報を表示位置別に前記表示器に表示させることを特徴とする電話端末の表示制御方法。
【発明の詳細な説明】
【技術分野】
【０００１】
この発明は、例えばＩＰ(Internet Protocol)電話システムにおいて、動作状態を表すテキスト表示データをＬＣＤ（Liquid Crystal Display）表示器に表示するネットワーク電話システムの電話端末及びこの電話端末の表示制御方法に関する。
【背景技術】
【０００２】
近年、パケット網を介して、双方向に画像や音声をパケットデータとして、リアルタイムに送受信するネットワーク電話システム（ＩＰ電話システム）が普及し始めている。
【０００３】
このＩＰ電話システムでは、パケット網に接続される各主装置ごとに内線間通信や外線発着信を行えることは勿論のこと、パケット網を経由した主装置間での内線通信や外線発着信を行うことができる。
【０００４】
ところで、上記ＩＰ電話システムでは、高機能化のため、パケット網に接続されるＩＰ電話端末のＬＣＤに動作状態を表すテキスト文字データを表示できるようになっている（例えば、特許文献１）。また、ＩＰ電話端末がＬＣＤを見て一目で動作状態が分かるように画像データとテキスト文字データとを合わせて表示することもできる。
【特許文献１】特開２００２−１２５２５３号公報。
【発明の開示】
【発明が解決しようとする課題】
【０００５】
ところが、上記ＩＰ電話端末では、ＬＣＤのサイズが予め決められており、画像データとテキスト文字データとを合わせてＬＣＤに表示すると、テキスト文字データがＬＣＤ画面からはみ出してしまうために、途中で途切れることになり、このため見づらい表示画面となる。
【０００６】
そこで、この発明の目的は、電話端末の動作状態を表すテキスト文字データを見やすい表示画面で視認できるようにしたネットワーク電話システムの電話端末及びこの電話端末の表示制御方法を提供することにある。
【課題を解決するための手段】
【０００７】
この発明は、上記目的を達成するために、以下のように構成される。  
音声パケット伝送用の通信ネットワークに接続され、表示器を有する複数の電話端末と、通信ネットワークを介して接続され、電話端末の動作状態を表すテキスト表示情報を電話端末の表示器に表示させる端末制御装置とを備えたネットワーク電話システムで使用される電話端末であって、端末制御装置から到来するテキスト表示情報を一時保持する入力バッファと、テキスト表示情報を互いに表示位置が異なる複数の成分情報に区分するために必要な表示制御情報を取得する取得手段と、入力バッファからテキスト表示情報を読み出し、表示制御情報に基づいてテキスト表示情報を複数の成分情報に分割して、これら成分情報を表示位置別に表示器に表示させる制御手段とを備えるようにしたものである。
【０００８】
この構成によれば、端末制御装置からテキスト表示情報が送られてきた場合に、このテキスト表示情報の表示に先立ち、このテキスト表示情報を複数の成分情報に区分するための表示制御情報を取得し、この表示制御情報に基づいてテキスト表示情報を複数の成分情報に分割して、これら成分情報を電話端末の表示器にて、互いに異なる表示位置に表示するようにしている。
【０００９】
従って、成分情報ごとに異なる表示位置に表示するようにしているので、テキスト表示情報を決められたデータフォーマットで入力する必要はなくなり、ユーザは見やすい表示画面により動作状態を確認することができる。
【００１０】
互いに動作状態が異なる複数の画像情報を格納する記憶手段をさらに備え、制御手段は、分割した成分情報の内容に基づいて、記憶手段から任意の画像情報を読み出し、成分情報と合わせて表示器に表示することを特徴とする。  
この構成によれば、テキスト表示情報だけでなく、そのテキスト表示情報に関連した画像情報を同じ表示器に同時に表示するようにしているので、表示器の表示内容から迅速に動作状態を認識することができる。
【００１１】
表示制御情報に画像情報の識別情報が付加されているとき、制御手段は、表示制御情報の取得時に得られる識別情報に基づいて記憶手段から該当する画像情報を読み出すことを特徴とする。  
この構成によれば、表示制御情報に付加されている識別情報を利用して、テキスト表示情報に関連した画像情報を自動的に表示器に表示することができ、これにより画像情報を表示する際の電話端末の処理負担を軽減できる。
【００１２】
記憶手段は、テキスト表示情報の詳細情報を格納し、制御手段は、該テキスト表示情報に対応する詳細情報を読み出して表示器に表示することを特徴とする。  
この構成によれば、万一テキスト表示情報及び画像情報を見て分からない場合にも、詳細情報を見ることにより動作状態を認識することができる。
【発明の効果】
【００１３】
以上詳述したようにこの発明によれば、電話端末の動作状態を表すテキスト文字データを見やすい表示画面で視認できるようにしたネットワーク電話システムの電話端末及びこの電話端末の表示制御方法を提供することができる。
【発明を実施するための最良の形態】
【００１４】
以下、この発明の実施形態について図面を参照して詳細に説明する。  
（第１の実施形態）  
図１は、この発明に係わるネットワーク電話システムの第１の実施形態を示す概略構成図である。  
このシステムは、ＬＡＮ１を有する。このＬＡＮ１には、複数のＩＰ電話端末２−１〜２−ｎ（ｎは自然数）が接続されている。また、ＬＡＮ１には、制御ユニット３が接続されている。制御ユニット３は、ＬＡＮ１上に接続された複数のＩＰ電話端末２−１〜２−ｎに対し動作状態を監視し、この動作状態に関するテキスト表示データを適宜提供する。
【００１５】
図２は、上記複数のＩＰ電話端末２−１〜２−ｎの機能構成を示すブロック図である。ここでは、ＩＰ電話端末２−１を代表して説明する。  
ＩＰ電話端末２−１は、ＬＡＮインタフェース（Ｉ／Ｆ）部１１と、音声パケット処理部１２と、音声入出力インタフェース（Ｉ／Ｆ）部１３と、制御部１４と、操作パネル１５と、記憶部１６とを備えている。
【００１６】
ＬＡＮインタフェース部１１は、ＬＡＮ１に関するインタフェース動作を行なう。つまり、ＬＡＮインタフェース部１１は、ＬＡＮ１から送られてきた伝送パケットから音声パケットや制御データを抽出し、音声パケットを音声パケット処理部１２へ、また制御データを制御部１４へと与える。またＬＡＮインタフェース部１１は、音声パケット処理部１２から与えられる音声パケットに制御部１４から与えられるデータを多重して、ＬＡＮ１に送信する。
【００１７】
音声パケット処理部１２は、ＬＡＮインタフェース部１１から与えられる音声パケットをアナログの受話音声信号に変換して音声入出力インタフェース部１３に与える。また、音声パケット処理部１２は、音声入出力インタフェース部１３から入力された送話音声信号をＬＡＮ１で取り扱い可能な音声パケットに変換してＬＡＮインタフェース部１１に与える。
【００１８】
音声入出力インタフェース部１３には、マイクロホン１７及びスピーカ１８が接続されている。音声入出力インタフェース部１３は、マイクロホン１７により入力された送話音声信号を音声パケット処理部１２に入力すると共に、音声パケット処理部１２から出力された受話音声信号をスピーカ１８から拡声出力する。
【００１９】
制御部１４は、ソフトウェア処理により電話端末２−１の各部の制御やＬＡＮ１との間での通信処理を行なう。
【００２０】
操作パネル１５は、キースイッチを有し、ユーザによる制御部１４に対する各種の指示入力を受け付ける。
【００２１】
記憶部１６には、動作状態ごとに異なる表示レイアウトデータ及び画像データが記憶されている。
【００２２】
また、ＩＰ電話端末２−１には、バッファ１９及びＬＣＤ２０が設けられている。ＬＣＤ２０は、ユーザに対し各種の情報報知を行なうものである。
【００２３】
ところで、制御部１４は、情報取得機能１４１と、情報処理機能１４２とを備えている。情報取得機能１４１は、制御ユニット３からテキスト表示データが送られてきた場合に、このテキスト表示データをバッファ１９に保存した後、制御ユニット３からそのテキスト表示データに関する表示制御情報を取得する。
【００２４】
表示制御情報は、図３に示すように、ＩＰ電話端末２−１の動作状態を表す画面種別情報と、テキスト表示データの表示レイアウトを表すフォーマット番号情報を含んでいる。画面種別情報については、図４に示すように、各種画面情報にコードが割り当てられている。
【００２５】
情報処理機能１４２は、表示制御情報のフォーマット番号情報に基づいて、記憶部１６から該当する表示レイアウトを読み出し、この表示レイアウトに従ってバッファ１９に保存されたテキスト表示データを互いに表示位置が異なる成分データに分割し、これら成分データをＬＣＤ２０に表示させる。このとき、表示制御情報中に画像データの識別情報が含まれている場合に、この識別情報に該当する画像データを記憶部１６から読み出し、成分データとともに、画像データをＬＣＤ２０に表示させる。
【００２６】
次に、上記構成における処理動作について説明する。  
いま、例えば図５に示すようにＩＰ電話端末２−１，２−３間で通話が行なわれているものとする。
【００２７】
そうすると、制御ユニット３から通話中を表すテキスト表示データがＩＰ電話端末２−１に送られる。このとき、ＩＰ電話端末２−１では、テキスト表示データとともに、通話中の旨を表す画像データをＬＣＤ２０に表示すると、テキスト表示データがＬＣＤ２０からはみ出てしまい、通話相手が特定できなくなる。
【００２８】
そこで、本実施形態では、図６に示すように、制御ユニット３からテキスト表示データをＩＰ電話端末２−１に送るとともに、ＬＣＤ２０の下段に通話相手を表示させる表示制御情報をＩＰ電話端末２−１に送るようにしている。
【００２９】
このとき、ＩＰ電話端末２−１は、図７に示す制御処理を実行する。  
ＩＰ電話端末２−１において、制御部１４は制御ユニット３からテキスト表示データが到来すると、このテキスト表示データをバッファ１９に保存し（ステップＳＴ７ａ）、さらに制御ユニット３からテキスト表示データに関する表示制御情報を取得し（ステップＳＴ７ｂ）、この表示制御情報に従って、バッファ１９に保存されたテキスト表示データの内容が正しいものであるか否かの判断を行なう（ステップＳＴ７ｃ）。
【００３０】
そして、テキスト表示データの内容が正しいものであるならば（Ｙｅｓ）、制御部１４は表示制御情報に基づいて、テキスト表示データに該当する表示レイアウト及び画像データを記憶部１６から検索し（ステップＳＴ７ｄ）、この検索した表示レイアウトに従ってテキスト表示データを、例えばＬＣＤ２０の上段に通話中である「Ｔａｌｋ Ｔｏ」を表示し、ＬＣＤ２０の下段に通話相手を表示する（ステップＳＴ７ｅ）。同時に、画像データをＬＣＤ２０に表示する。
【００３１】
なお、上記ステップＳＴ７ｃにおいて、テキスト表示データの内容が正しいものでない場合（Ｎｏ）、制御部１４は処理を終了する。この場合、バッファ１９に保存されたテキスト表示データは、ユーザの要求に応じてＬＣＤ２０に表示することもできる。
【００３２】
以上のように上記第１の実施形態では、ＩＰ電話端末２−１において、制御ユニット３からテキスト表示データが送られてきた場合に、このテキスト表示データの表示に先立ち、このテキスト表示データに関する表示制御情報を制御ユニット３から取得し、この表示制御情報に基づいてテキスト表示データの内容が正しければ、例えば通話中を表す成分データと通話相手を表す成分データとに分けて、これら成分データをＬＣＤ２０上の互いに異なる表示位置に表示するようにしている。
【００３３】
従って、テキスト表示データを成分データごとに異なる表示位置に表示するようにしているので、テキスト表示データを決められたデータフォーマットでＩＰ電話端末２−１に入力する必要はなくなり、ＩＰ電話端末２−１のユーザは見やすい表示画面によりＩＰ電話端末２−１の動作状態を確認することができる。
【００３４】
また、上記第１の実施形態では、テキスト表示データだけでなく、そのテキスト表示データに関連した画像データをＩＰ電話端末２−１の同じＬＣＤ２０に表示することができるので、ＬＣＤ２０の表示内容から迅速にＩＰ電話端末２−１の動作状態を認識することができる。このとき、表示制御情報に画像データの識別情報が付加されているならば、この識別情報を利用してテキスト表示データに関連した画像データを自動的にＬＣＤ２０に表示することができ、これにより画像データを表示する際のＩＰ電話端末２−１の処理負担を軽減できる。
【００３５】
（第２の実施形態）  
図８は、この発明の第２の実施形態におけるＩＰ電話端末２−１の機能構成を示すブロック図である。なお、図８において、上記図２と同一部分には同一符号を付して詳細な説明を省略する。
【００３６】
すなわち、記憶部１６には、データテーブル１６１が設けられている。このデータテーブル１６１には、図９に示すように、フォーマット番号と、画像データ種別番号と、入力テキスト表示データ（上段表示）と、入力テキスト表示データ（下段表示）と、出力テキスト表示データ（上段表示）と、出力テキスト表示データ（下段表示）との対応関係を表すデータが記憶されている。
【００３７】
次に、上記構成における処理動作について説明する。  
いまＩＰ電話端末２−１のユーザがＩＰ電話端末２−４に対し発信を行なうべくオフフックを行なったとする。すると、オフフック信号は制御ユニット３に転送される。そして、制御ユニット３は、ＩＰ電話端末２−１からのオフフック信号を受信すると、図１０に示すオフフック信号に対応するテキスト表示データをＩＰ電話端末２−１に送信する。
【００３８】
ＩＰ電話端末２−１において、制御部１４は制御ユニット３からテキスト表示データが到来すると、このテキスト表示データをバッファ１９に保存し、さらに制御ユニット３からテキスト表示データに関する表示制御情報を取得し、この表示制御情報に従って、バッファ１９に保存されたテキスト表示データの内容が正しいものであるか否かの判断を行なう。
【００３９】
そして、テキスト表示データの内容が正しいものであるならば、制御部１４は表示制御情報に基づいて、テキスト表示データ「ＤＩＡＬ ＳＴＡＴＩＯＮ ＮＵＮＢＥＲ」「ＯＲ ＡＣＣＥＳＳ ＣＯＤＥ」に該当する出力テキスト表示データ「Ｄｉａｌ」「Ｓｔａｔｉｏｎ Ｎｕｍｂｅｒ」を記憶部１６のデータテーブル１６１から検索し、この検索した出力テキスト表示データ「Ｄｉａｌ」「Ｓｔａｔｉｏｎ Ｎｕｍｂｅｒ」をＬＣＤ２０の上段、下段に表示する。また、対応する画像データもＬＣＤ２０に表示する。
【００４０】
かくして、ＩＰ電話端末２−１のＬＣＤ２０には、図１１に示す如く、画像データ及びテキスト表示データの詳細データが表示されることになる。
【００４１】
以上のように上記第２の実施形態では、ＩＰ電話端末２−１において、記憶部１６に入力テキスト表示データとこの入力テキスト表示データを分かりやすくした出力テキスト表示データとの対応関係を表すデータテーブル１６１を設けたことにより、制御ユニット３から到来する入力テキスト表示データを分かりやすい出力テキスト表示データに変換してＬＣＤ２０に表示するようにしている。
【００４２】
従って、入力テキスト表示データ及び画像データからはＩＰ電話端末２−１の動作状態が特定し難い場合にも、入力テキスト表示データを詳細な表示形式にした出力テキスト表示データをＬＣＤ２０で視認することにより、ＩＰ電話端末２−１のユーザは動作状態を見やすい表示画面で確認することができる。
【００４３】
（その他の実施形態）  
この発明は、上記各実施形態に限定されるものではない。例えば上記第１の実施形態では、表示制御情報に含まれる画像データの識別情報に基づいて、対応する画像データを記憶部から読み出してＬＣＤに表示する例について説明した。しかしこれに限ることなく、テキスト表示データの内容を解析し、この解析結果に基づいて該当する画像データを記憶部から読み出してＬＣＤに表示するようにしてもよい。
【００４４】
また、上記各実施形態では、テキスト表示データとともに画像データを表示する例について説明したが、テキスト表示データのみ表示するものであってもよい。
【００４５】
また、上記各実施形態では、表示制御情報を制御ユニットから取得する例について説明したが、制御ユニット以外の他の装置から取得するようにしてもよい。
【００４６】
また、上記各実施形態では、ＩＰ電話端末を例として説明したが、例えば電話機能を有するパーソナル・コンピュータやサーバであってもよい。
【００４７】
さらに、上記各実施形態では、ＬＡＮを例にとって説明したが、ＬＡＮ以外のＩＰ網にも適用可能である。
【００４８】
その他、システムの構成及び種類、ＩＰ電話端末の構成、テキスト表示データの種類、画像データの種類、テキスト表示データの表示制御手順等についても、この発明の要旨を逸脱しない範囲で種々変形して実施できる。
【図面の簡単な説明】
【００４９】
【図１】この発明に係わるネットワーク電話システムの第１の実施形態を示す概略構成図。
【図２】同第１の実施形態において、ＩＰ電話端末の機能構成を示すブロック図。
【図３】同第１の実施形態で取り扱われる表示制御情報の構造図。
【図４】図３に示した表示制御情報中の画面種別情報の詳細を示す図。
【図５】以前に考えられていたテキスト表示データの表示動作を説明するためのシーケンス図。
【図６】同第１の実施形態におけるテキスト表示データの表示動作を説明するためのシーケンス図。
【図７】同第１の実施形態において、テキスト表示データの表示手順を示すフローチャート。
【図８】この発明の第２の実施形態におけるＩＰ電話端末の機能構成を示すブロック図。
【図９】同第２の実施形態のＩＰ電話端末に設けられるデータテーブルの記憶内容の一例を示す図。
【図１０】同第２の実施形態で取り扱う入力テキスト表示データの構造を示す図。
【図１１】同第２の実施形態における出力テキスト表示データの表示例を示す図。
【符号の説明】
【００５０】
１…ＬＡＮ、２−１〜２−ｎ…ＩＰ電話端末、３…制御ユニット、１１…ＬＡＮインタフェース部、１２…音声パケット処理部、１３…音声入出力インタフェース部、１４…制御部、１５…操作パネル、１６…記憶部、１７…マイクロホン、１８…スピーカ、１９…バッファ、２０…ＬＣＤ、１４１…情報取得機能、１４２…情報処理機能、１６１…データテーブル。
【図１】
2006019967.tif 000003
【図２】
2006019967.tif 000004
【図３】
2006019967.tif 000005
【図４】
2006019967.tif 000006
【図５】
2006019967.tif 000007
【図６】
2006019967.tif 000008
【図７】
2006019967.tif 000009
【図８】
2006019967.tif 000010
【図９】
2006019967.tif 000011
【図１０】
2006019967.tif 000012
【図１１】
2006019967.tif 000013